(57)【要約】【課題】  回転ドラム内の収容室に収容された被乾燥物をより均一に乾燥させることができる乾燥機を提供する。【解決手段】  内槽ドラム５内に構成された収容室１０内に乾燥用空気を供給し、該収容室１０内に収容した被乾燥物の乾燥運転を実行する洗濯乾燥機Ｗにおいて、内槽ドラム５の回転軸方向の両側に、乾燥用空気を吐出する吐出口９Ａ、１６Ａを形成した。この場合、内槽ドラム５の回転軸の一側に形成された吐出口９Ａと、他側に形成された吐出口１６Ａと、内槽ドラム５の内壁に突出して設けられ、当該内槽ドラム５の回転軸の一側から他側の吐出口１６Ａに乾燥用空気を案内するダクト部材１６を備えた。【選択図】図２
2005102817.tif 000002
【特許請求の範囲】
【請求項１】
回転ドラム内に構成された収容室内に乾燥用空気を供給し、該収容室内に収容した被乾燥物の乾燥運転を実行する乾燥機において、
前記回転ドラムの回転軸方向の両側に、前記乾燥用空気を吐出する吐出口を形成したことを特徴とする乾燥機。
【請求項２】
前記回転ドラムの回転軸の一側に形成された前記吐出口と、他側に形成された前記吐出口と、前記回転ドラムの内壁に突出して設けられ、当該回転ドラムの回転軸の一側から前記他側の吐出口に前記乾燥用空気を案内するダクト部材を備えたことを特徴とする請求項１の乾燥機。
【請求項３】
前記ダクト部材に前記吐出口を形成したことを特徴とする請求項２の乾燥機。
【請求項４】
コンプレッサ、放熱器、減圧装置及び蒸発器等を順次環状に配管接続してなる冷媒回路と、
前記放熱器と熱交換した前記乾燥用空気を前記収容室内に吐出し、該収容室内を経た空気を前記蒸発器と熱交換させるための送風手段とを備えたことを特徴とする請求項１、請求項２又は請求項３の乾燥機。
【請求項５】
前記冷媒回路は、二酸化炭素を冷媒として用い、高圧側が超臨界圧力となることを特徴とする請求項４の乾燥機。
【発明の詳細な説明】
【技術分野】
【０００１】
本発明は、被乾燥物を収容する乾燥室を備えた乾燥機に関するものである。
【背景技術】
【０００２】
従来より一般的な乾燥機は、電気ヒータを熱源とし、外気を電気ヒータにて加熱して高温空気とした後、被乾燥物が収容された回転ドラム内に吹き出して、ドラム内の被乾燥物を乾燥するものであった。そして、被乾燥物を乾燥させたドラム内の高温空気は熱交換器で除湿し、再び乾燥に用いるものであった（例えば、特許文献１参照）。
【特許文献１】特開平３−２０２０９８号公報
【発明の開示】
【発明が解決しようとする課題】
【０００３】
ところで、このような乾燥機では回転ドラム内における被乾燥物の乾燥ムラの発生が問題となる。そのため、従来より被乾燥物を均一に乾燥させる目的でドラムを回転させ、内部の被乾燥物を撹拌していたが、乾燥用空気の吐出口から遠い箇所に滞留する被乾燥物の乾燥は遅くなる。そこで、上記特許文献１では被乾燥物の出し入れを行う蓋部材内にダクトを形成し、そこから乾燥用空気をドラム内に吐出するようにしていたが、これによっても乾燥用空気の吐出方向は限られるため、どうしても乾燥ムラが発生する。
【０００４】
本発明は、係る従来技術の課題を解決するために成されたものであり、回転ドラム内の収容室に収容された被乾燥物をより均一に乾燥させることができる乾燥機を提供することを目的とする。
【課題を解決するための手段】
【０００５】
本発明の乾燥機は、回転ドラム内に構成された収容室内に乾燥用空気を供給し、該収容室内に収容した被乾燥物の乾燥運転を実行するものであって、回転ドラムの回転軸方向の両側に、乾燥用空気を吐出する吐出口を形成したことを特徴とする。
【０００６】
請求項２の発明の乾燥機は、上記において回転ドラムの回転軸の一側に形成された吐出口と、他側に形成された吐出口と、回転ドラムの内壁に突出して設けられ、当該回転ドラムの回転軸の一側から他側の吐出口に乾燥用空気を案内するダクト部材を備えたことを特徴とする。
【０００７】
請求項３の発明の乾燥機は、上記においてダクト部材に吐出口を形成したことを特徴とする。
【０００８】
請求項４の発明の乾燥機は、上記各発明においてコンプレッサ、放熱器、減圧装置及び蒸発器等を順次環状に配管接続してなる冷媒回路と、放熱器と熱交換した乾燥用空気を収容室内に吐出し、該収容室内を経た空気を蒸発器と熱交換させるための送風手段とを備えたことを特徴とする。
【０００９】
請求項５の発明の乾燥機は、上記において冷媒回路は、二酸化炭素を冷媒として用い、高圧側が超臨界圧力となることを特徴とする。
【発明の効果】
【００１０】
本発明によれば、回転ドラム内に構成された収容室内に乾燥用空気を供給し、該収容室内に収容した被乾燥物の乾燥運転を実行する乾燥機において、回転ドラムの回転軸方向の両側に、乾燥用空気を吐出する吐出口を形成したので、一方向から収容室内に乾燥用空気を吐出する場合に比して被乾燥物と乾燥用空気との接触が良くなり、均一な乾燥と乾燥時間の短縮を実現できるようになる。特に、回転ドラムの回転軸方向の両側から収容室内に乾燥用空気を吐出するので、吐出口が被乾燥物によって塞がれ難くなり、乾燥用空気の通風も円滑に行われるものである。
【００１１】
請求項２の発明によれば、上記に加えて回転ドラムの回転軸の一側に形成された吐出口と、他側に形成された吐出口と、回転ドラムの内壁に突出して設けられ、当該回転ドラムの回転軸の一側から他側の吐出口に乾燥用空気を案内するダクト部材を備えているので、簡単な構造で乾燥用空気を他側の吐出口に案内できるようになると共に、ダクト部材を介して回転ドラム自体の温度も上昇するので、乾燥性能は更に向上する。また、ダクト部材は回転ドラム内壁に突出しているので、収容室内の被乾燥物はダクト部材によって撹拌されるようになる。これにより、より一層被乾燥物の乾燥時間の短縮と均一な乾燥を促進できるようになるものである。
【００１２】
請求項３の発明によれば、上記に加えてダクト部材に吐出口を形成したので、ダクト部材からも収容室内に乾燥用空気を吐出することができるようになる。これにより、収容室内の被乾燥物には更に多方向から乾燥用空気が吹き付けられるようになり、更なる乾燥の均一化と乾燥時間の短縮を図ることが可能となるものである。
【００１３】
請求項４の発明によれば、上記各発明に加えてコンプレッサ、放熱器、減圧装置及び蒸発器等を順次環状に配管接続してなる冷媒回路と、放熱器と熱交換した乾燥用空気を収容室内に吐出し、該収容室内を経た空気を蒸発器と熱交換させるための送風手段とを備えているので、収容室内に収納された被乾燥物を放熱器にて加熱された高温の乾燥用空気にて加熱し、被乾燥物から蒸発した湿気は蒸発器に凝結させて廃棄することができるようになる。
【００１４】
これにより、乾燥に要する時間を効果的に短縮し、且つ、エネルギー効率を大幅に向上させることができるようになる。また、湿気を排出するために収容室外に排気する必要も無くなるので、乾燥機が設置された室内環境を悪化させることもなくなり、当該室内環境を改善するための設備コストの解消することが可能となるものである。
【００１５】
請求項５の発明によれば、上記に加えて冷媒回路は、二酸化炭素を冷媒として用い、高圧側が超臨界圧力となるので、放熱器の温度を高温にすることが可能となる。これにより、収容室内に循環させる乾燥用空気の温度を高く維持し、収容室内に収納した被乾燥物をより短時間で乾燥させて、乾燥に使用するエネルギー消費を一層削減することができるようになるものである。
【発明を実施するための最良の形態】
【００１６】
次に、図面に基づき本発明の実施形態を詳述する。図１は本発明を適用した乾燥機の実施例として、洗濯運転と洗濯運転終了後の乾燥運転を実行する洗濯乾燥機Ｗの内部構成図、図２は同一部切欠内部構成図、図３は洗濯乾燥機Ｗの冷媒の流れと乾燥用空気の流れを示す図である。この実施例の洗濯乾燥機Ｗは、衣類等の被洗濯物（この被洗濯物が乾燥運転における被乾燥物となる。）を洗濯、及び、乾燥するために使用するもので、外郭を形成する本体１（図は本体１のケース内を透視している。）の上面中央部には被洗濯物を納出するための開閉扉３が取り付けられており、開閉扉３の側方の本体１上面には各種の操作スイッチや表示部が配設された図示しない操作パネルが設けられている。
【００１７】
前記本体１内には、貯水可能な円筒状樹脂製の外槽ドラム２が設けられ、この外槽ドラム２は円筒の軸を左右方向として配設されている。そして、この外槽ドラム２の内側には、洗濯槽と脱水槽を兼ねる円筒状ステンレス製の内槽ドラム（本発明に置ける回転ドラム）５が設けられている。この内槽ドラム５の内部が被洗濯物を収容する収容室（乾燥運転においては収容室として機能する）１０とされ、これも円筒の軸（図３にＸで示す回転軸）を左右方向として配設されると共に、この回転軸Ｘが外槽ドラム２の側壁（図１の奥側）に装着された図示しない駆動モータの軸８に連結され、当該軸８に連結された内槽ドラム５の軸である回転軸Ｘを中心とし、内槽ドラム５は外槽ドラム２内で回転可能に保持されている。
【００１８】
また、外槽ドラム２は内槽ドラム５の回転により振動・変位を生じるため、振動・騒音の低減のために振動吸収機能を有するサスペンション３０を介して本体１の底面に位置するベース３２上に固定されている。即ち、回転する内槽ドラム５は外槽ドラム２及びサスペンション３０を介してベース３２上に取り付けられたかたちとなる。
【００１９】
前記外槽ドラム２の上部には、前記開閉扉３に対応して被洗濯物を納出するための図示しない水密性の開閉蓋が設けられている。また、内槽ドラム５の全周壁には、空気及び水が流通可能な多数の透孔（図示されない）が形成されている。また、当該内槽ドラム５の停止位置は規定されており、この停止時に前記外槽ドラム２の開閉蓋に対応する位置（上面）には被洗濯物を納出するための図示しない開閉蓋を有している。
【００２０】
前述した駆動モータは、洗濯運転及び当該洗濯運転終了後の乾燥運転において、左右水平方向の軸８を中心として内槽ドラム５を回転させるためのモータである。この駆動モータは、前記軸８の他端（図１の奥側）に取り付けられ、図示しない制御装置により、乾燥運転時においては洗濯運転時に比して低速にて内槽ドラム５を回転させるように制御される。
【００２１】
前記軸８の一端（図１の手前側）内には内部中空の中空部９が形成されており、この中空部９の吐出口９Ａを介して後述する空気循環経路７２と内槽ドラム５内とが連通されている。
【００２２】
前記本体１の上部には、内槽ドラム５内に給水するための給水手段としての図示しない給水通路が設けられており、この給水通路の一端は給水バルブを介して水道水などの給水源に接続されている。この給水バルブは前記制御装置にて開閉が制御される。また、給水通路の他端は、外槽ドラム２に接続されて内部と連通しており、制御装置にて給水バルブが開放されると、外槽ドラム２内に設けられた内槽ドラム５内の収容室１０に給水源から水（水道水）が供給されるように構成されている。
【００２３】
また、前記本体１の下部には、内槽ドラム５内の収容室１０の水を排出するための排水手段としての図示しない排水通路が設けられており、この排水通路の一端は、制御装置にて開閉を制御される排水バルブを介して外槽ドラム２の最底部と連通している。また、排水通路の他端は、洗濯乾燥機Ｗの外部に導出され、排水溝等に至る。
【００２４】
他方、洗濯乾燥機Ｗには、本体１内には外槽ドラム２の後側から側方に渡って前述した空気循環経路７２が構成されている。この空気循環経路７２は、吐出側のダクト部材６７と、吸込側のダクト部材６８と、ダクトボックス７１内に形成された空気通路６９等から構成されている。ダクト部材６７の一端は、軸８の一端（図１の手前側）に形成された前述した中空部９の吐出口９Ａを介して内槽ドラム５内（収容室１０）と連通するように外槽ドラム２に接続固定されており、他端はダクトボックス７１内に形成された空気通路６９の出口６９Ｂに接続固定されている。また、ダクト部材６８の一端は、外槽ドラム２内の内槽ドラム５内（収容室１０）と連通するように外槽ドラム２に接続固定されており、他端は空気通路６９の入口６９Ａに接続固定されている。
【００２５】
ここで、空気循環経路７２を構成する両ダクト部材６７、６８は金属若しくは耐熱性の合成樹脂から構成され、全体若しくは少なくとも一部が可撓性を有した材料、例えばフレキシブルホースにて構成されている。
【００２６】
また、ダクト部材６７には、送風手段としての送風機１４が設けられている。この送風機１４は、空気循環経路７２内の乾燥用空気を空気循環経路７２のダクト部材６７から軸８の中空部９の吐出口９Ａを経て内槽ドラム５内の収容室１０に送風供給する。即ち、洗濯乾燥機Ｗは、乾燥運転時に空気循環経路７２内の乾燥用空気を送風機１４により内槽ドラム５内に循環させることにより、空気循環経路７２の空気通路６９内に設けられたガスクーラ５４（放熱器）との熱交換にて加熱された乾燥用空気を内槽ドラム５内の収容室１０に吐出する。
【００２７】
前記ダクトボックス７１内には前述の如く空気通路６９が形成されている。このダクトボックス７１内は図１に示すように、断熱性の仕切部材７６により下部が連通した状態で手前側と奥側とに区画されており、これにより、ダクトボックス７１内には、手前側で上から下に下降した後、奥側で下から上に上昇する迂回したかたちの一連の空気通路６９が構成される。そして、この空気通路６９の手前側に冷媒回路２０の蒸発器５７が配設され、奥側には冷媒回路２０のガスクーラ５４が配設される。
【００２８】
尚、上述の如くガスクーラ５４と蒸発器５７の下側は、前記仕切部材６７にて区画されておらず、連通されている。そして、前記空気通路６９の入口６９Ａはダクトボックス７１の手前側の空気通路６９上部にて開口しており、これにより、上記ダクト部材６８はダクトボックス７１の手前側の空気通路６９上部に連通する。また、空気通路６９の出口６９Ｂはダクトボックス７１の奥側の空気通路６９上部にて開口しており、これにより、ダクト部材６７はダクトボックス７１の奥側の空気通路６９上部に連通する。
【００２９】
係る構成により前記送風機１４の運転によって収容室１０内を循環し、被洗濯物を乾燥させた後の空気は、空気循環経路７２のダクト部材６８を経て入口６９Ａからダクトボックス７１の手前側の空気通路６９に流入して降下しながら、この手前側の空気通路６９に設けられた蒸発器５７と熱交換して冷却され、除湿された後、仕切部材７６の下側からダクトボックス７１の奥側の空気通路６９に入り、上昇しながらこの奥側の空気通路６９に設けられたガスクーラ５４と熱交換して加熱された後、出口６９Ｂから出てダクト部材６７に入り、そこに設けられた送風機１４に吸い込まれて当該送風機１４から収容室１０内に吐出される構成とされている。
【００３０】
次に、２０は前述した冷媒回路であり、当該冷媒回路２０はロータリコンプレッサ１１、前記ガスクーラ５４、減圧装置としての膨張弁５６及び蒸発器５７等を順次環状に配管接続して構成されている。そして、ロータリコンプレッサ１１や膨張弁５６、前記ガスクーラ５４及び蒸発器５７を内蔵したダクトボックス７１はベース３２に取り付けられ、固定されている。また、冷媒回路２０内には、冷媒として二酸化炭素（ＣＯ2）が所定量封入されている。
【００３１】
実施例のロータリコンプレッサ１１は密閉容器内に電動要素とこの電動要素にて駆動される第１の回転圧縮要素３２及び第２の回転圧縮要素３４を設けた内部中間圧型二段圧縮式のロータリコンプレッサである。そして、冷媒導入管１２からロータリコンプレッサ１１の第１の回転圧縮要素３２に低圧冷媒が導入され、冷媒吐出管１３から第２の回転圧縮要素３４で圧縮された高温高圧の冷媒がロータリコンプレッサ１１外に吐出される構成とされている。
【００３２】
前記冷媒回路２０のロータリコンプレッサ１１の冷媒吐出管１３は、空気加熱用の前記ガスクーラ５４の入口に接続される。このガスクーラ５４を出た配管１４は、膨張弁５６の入口に接続され、膨張弁５６を出た配管は、前記蒸発器５７の入口に至り、蒸発器５７を出た配管は、冷媒導入管１２に接続されてロータリコンプレッサ１１に至る。また、ロータリコンプレッサ１１の運転及び膨張弁５６は前記制御装置により制御される。
【００３３】
尚、上述した制御装置は洗濯乾燥機Ｗの制御を司る制御手段であり、図示しない駆動モータの運転、給水通路の給水バルブの開閉、排水通路の排水バルブの開閉、ロータリコンプレッサ１１の運転、膨張弁５６の絞り調整、送風機１４の風量を制御している。更に、制御装置は内槽ドラム５内に収容された被洗濯物が変色及び損傷しないようにガスクーラ５４を経た乾燥用空気の温度も制御する。
【００３４】
一方、内槽ドラム５の内壁には金属パイプ、或いは、耐熱性樹脂パイプから成るダクト部材１６が三箇所取り付けられている。各ダクト部材１６・・の一端は前記中空部９内に位置し、ダクト部材６７から軸８の中空部９に入る乾燥用空気の風上側に向けて開口している。各ダクト部材１６・・は内槽ドラム５の内壁に沿って回転軸Ｘの他側まで渡っており、他端には中空部９方向に向けて開口する吐出口１６Ａが形成されている。この状態でダクト部材１６・・は内槽ドラム５の内壁において収容室１０内に突出しており、また、ダクト部材１６の一端から他端の間の側面にも吐出口１６Ｂが複数形成されている。
【００３５】
これにより、吐出口９Ａは内槽ドラム５の回転軸Ｘの一側にて収容室１０内に開口しており、吐出口１６Ａ・・は回転軸Ｘの他側にて収容室１０内に開口している。また、吐出口１６Ｂ・・・は内槽ドラム５の周面の内壁に位置して収容室１０内に開口しているかたちとなる。
【００３６】
以上の構成で次に洗濯乾燥機Ｗの動作を説明する。内槽ドラム５内の収容室１０に被洗濯物と当該被洗濯物の量に応じた所定量の洗剤が投入され、前述した操作スイッチのうちの電源スイッチ及びスタートスイッチが操作されると、制御装置は洗濯運転を開始する。そして、制御装置は図示しない給水通路の給水バルブを開いて給水通路を開放する。これにより、給水源から外槽ドラム２内の内槽ドラム５の収容室１０内に水が供給される。尚、このとき排水通路の排水バルブは制御装置により閉じられている。
【００３７】
内槽ドラム５内の収容室１０に所定量の水が溜まると、制御装置は給水バルブを閉じて給水通路を閉塞する。これにより、給水源からの水の供給が停止される。
【００３８】
次に、制御装置により本体１の側面に形成された駆動モータが通電起動されて軸８が回転し、これにより、軸８に取り付けられた内槽ドラム５が外槽ドラム２内で回転し始め、洗濯運転の洗濯行程が開始される。このとき、ダクト部材１６・・は内槽ドラム５の内壁から突出しているので、被洗濯物を撹拌して汚れが落ちるのを促進する役割を果たす。
【００３９】
洗濯行程の開始から所定時間経過すると、制御装置により駆動モータが停止され、前記排水通路の排水バルブが開放されて内槽ドラム５の収容室１０内（即ち、外槽ドラム２内）の水（洗濯水）が排出されていく。
【００４０】
そして、内槽ドラム５の収容室１０内の水が排出されると、制御装置は再び駆動モータを作動し、被洗濯物の脱水を行う。この脱水を所定時間実行した後、制御装置は排水通路の排水バルブを閉じる。
【００４１】
次に、制御装置はすすぎ行程に移行し、給水通路の給水バルブを開いて給水通路を開放する。これにより、給水源から内槽ドラム５内の収容室１０に再び水が供給される。内槽ドラム５内の収容室１０に所定量の給水が行われると、制御装置は給水バルブを閉じ、給水通路を閉塞する。これにより、給水源からの水の供給が停止される。
【００４２】
そして、前記駆動モータの回転動作を所定時間繰り返してすすぎを行った後、制御装置は駆動モータを停止し、排水通路の排水バルブを開いて収容室１０内のすすぎ水を排水通路に排出する。収容室１０内のすすぎ水が排出されると、制御装置は再び駆動モータを作動し、前述同様に内槽ドラム５を回転させて、被洗濯物の脱水を行う脱水行程に移行する。
【００４３】
この脱水行程を所定時間実行した後、制御装置は排水バルブを閉じる。また、制御装置はロータリコンプレッサ１１を起動すると共に、送風機１４の運転を開始する。そして、前記駆動モータにより内槽ドラム５を回転させて乾燥運転に移行する。
【００４４】
この乾燥運転では、ロータリコンプレッサ１１の第２の回転圧縮要素３４から吐出された高温・高圧のガス冷媒は、ガスクーラ５４で放熱した後、膨張弁５６に至る。ここまで冷媒は凝縮せず、冷媒回路２０の高圧側は超臨界圧力となっている。膨張弁５６に至った冷媒はそこで減圧され、その過程で液化した後、次に蒸発器５７に流入してそこで周囲から吸熱し、蒸発して冷媒導入管１２からロータリコンプレッサ１１の第１の回転圧縮要素３２に吸い込まれる循環を行うようになる。
【００４５】
送風機１４の運転により、ガスクーラ５４における高温高圧の冷媒の放熱によって加熱され、高温となった乾燥用空気は空気循環経路７２のダクト部材６７から出て中空部９に流入する。中空部９に流入した乾燥用空気の一部は吐出口９Ａから収容室１０内に吐出される（回転軸Ｘの一側から乾燥用空気を吐出）。中空部９に流入した乾燥用空気の残りはダクト部材１６・・の一端開口からダクト部材１６・・内に流入する。ダクト部材１６・・内に流入した高温の乾燥用空気は内部を通って他端の吐出口１６Ａ・・から収容室１０内に吐出される（回転軸Ｘの他側から乾燥用空気を吐出）。また、ダクト部材１６・・内を通る乾燥用空気は側面の吐出口１６Ｂ・・・からも収容室１０内に吐出される（内槽ドラム５の周囲方向からの乾燥用空気の吐出）。
【００４６】
このとき、ダクト部材１６・・自体の温度が上昇するので、熱伝導により内槽ドラム５の温度も上昇していくことになる。このような複数カ所からの乾燥用空気の吐出によって収容室１０内の被乾燥物（被洗濯物）に満遍なく乾燥用空気を吹き付けると共に、内槽ドラム５の温度上昇も促進させる。
【００４７】
また、このときダクト部材１６・・は内槽ドラム５の収容室１０内に突出しているので、内槽ドラム５の回転に伴い、被乾燥物を持ち上げては下方に落下させる動作（タンブリング）を行い、被乾燥物の撹拌を行う。
【００４８】
このようにして収容室１０に吐出された乾燥用空気は内槽ドラム５内（収容室１０）に収容された被乾燥物を暖めて湿気を蒸発させ、被乾燥物を乾燥させる。被乾燥物を乾燥させて湿気を含んだ空気は、収容室１０を経て図示しない透孔から内槽ドラム５外に流出し、空気循環経路７２のダクト部材６８内を通過し、入口６９Ａから空気通路６９内に吸い込まれ、そこに設けられた蒸発器５７に導入されて通過する。
【００４９】
収容室１０からの空気に含まれる水分（被乾燥物から蒸発した水分）は蒸発器５７を通過する過程で当該蒸発器５７の表面に凝結し、水滴となって落下する。落下した水滴は図示しないドレンパイプを介して、前記排水通路から外部の排水溝などに排出される。
【００５０】
この蒸発器５７で湿気が取り除かれて乾燥した空気は、次にガスクーラ５４に流入して加熱される。そして、空気通路６９の出口６９Ｂから出てダクト部材６７に入り、送風機１４に吸い込まれて軸８の中空部９に送風され、前述同様に内槽ドラム５内の収容室１０に吐出されて内槽ドラム５内の被乾燥物から湿気を奪って乾燥させる循環を繰り返す。
【００５１】
このような乾燥運転が制御装置にて所定時間実行されることにより、内槽ドラム５内の収容室１０の被乾燥物は完全に乾燥される。このように、空気循環経路７２内の空気をガスクーラ５４で加熱し、蒸発器５７で除湿することで被乾燥物を効率的に乾燥させることができるようになる。また、二酸化炭素のように冷媒回路の高圧側が超臨界圧力となる冷媒を用いることで、ガスクーラ５４において大なる加熱能力を得ることができるようになる。
【００５２】
特に、内槽ドラム５の回転軸Ｘの両側に、乾燥用空気を吐出する吐出口９Ａ、１６Ａを形成しているので、一方向から収容室１０内に乾燥用空気を吐出する場合に比して被乾燥物と乾燥用空気との接触が良くなり、均一な乾燥と乾燥時間の短縮を実現できるようになる。特に、内槽ドラム５の回転軸Ｃの両側から収容室１０内に乾燥用空気を吐出するので、吐出口９Ａ、１６Ａが被乾燥物によって塞がれ難くなり、乾燥用空気の通風も円滑に行われる。
【００５３】
また、内槽ドラム５の内壁に突出して設けられ、内槽ドラム５の回転軸Ｘの一側から他側の吐出口１６Ａに乾燥用空気を案内するダクト部材１６・・を備えているので、簡単な構造で乾燥用空気を他側の吐出口１６Ａに案内して吐出できるようになると共に、ダクト部材１６・・を介して内槽ドラム５自体の温度も上昇するので、乾燥性能は更に向上する。また、ダクト部材１６・・は内槽ドラム５の内壁に突出しているので、収容室１０内の被乾燥物はダクト部材１６・・によって撹拌され、より一層被乾燥物の乾燥時間の短縮と均一な乾燥を促進できるようになる。
【００５４】
更に、ダクト部材１６・・の側面にも吐出口１６Ｂ・・・を形成したので、ダクト部材１６の側面からも収容室１０内に乾燥用空気を吐出することができるようになる。これにより、収容室１０内の被乾燥物には更に多方向から乾燥用空気が吹き付けられるようになり、更なる乾燥の均一化と乾燥時間の短縮を図ることが可能となる。
【００５５】
尚、実施例では冷媒回路を用いて乾燥用空気の加熱と除湿を行ったが、請求項１と請求項２の発明ではこれに限らず、電気ヒータや水冷・空冷熱交換器を用いた乾燥機にも本発明は有効である。また、実施例では第１及び第２の回転圧縮要素３２、３４を備えた内部中間圧型多段（２段）圧縮式のロータリロータリコンプレッサ１１を用いるものとしたが、本発明に使用可能な圧縮機はこれに限定されるものではない。また、実施例では洗濯と乾燥機能を有する洗濯乾燥機に本発明を適用したが、乾燥の単機能のみを有する乾燥機であってもよいことは云うまでもない。
【図面の簡単な説明】
【００５６】
【図１】本発明の実施例の洗濯乾燥機の内部構成を示す斜視図である。
【図２】図１の一部切欠斜視図である。
【図３】図１の洗濯乾燥機の冷媒と空気の流れを示す図である。
【符号の説明】
【００５７】
Ｗ  洗濯乾燥機
Ｘ  回転軸
２  外槽ドラム
５  内槽ドラム
８  軸
９  中空部
９Ａ、１６Ａ、１６Ｂ  吐出口
１０  収容室
１１  ロータリコンプレッサ
１４  送風機
１６  ダクト部材
５４  ガスクーラ
５６  膨張弁
５７  蒸発器
【図１】
2005102817.tif 000003
【図２】
2005102817.tif 000004
【図３】
2005102817.tif 000005